(57)【特許請求の範囲】
【請求項１】
ウェットティッシュ収納用容器と、
ウェットティッシュ収納用容器を保持するとともに、このウェットティッシュ収納用容器を室内固定部に取付けるための取付ホルダと、を備え、
取付ホルダはウェットティッシュ収納用容器を取外自在に保持する保持部を有し、
取付ホルダの保持部はウェットティッシュ収納用容器の背面に当接する背板と、ウェットティッシュ収納用容器の一方の周縁と係合する第１係合部と、一方の周縁と反対側の他方の周縁と係合して、第１係合部との間でウェットティッシュ収納用容器を保持する第２係合部とを有し、
少なくとも一方の係合部は背板に対して揺動自在となっており、これにより、当該係合部をウェットティッシュ収納用容器の周縁に係合させあるいは係合を解除させ、
取付ホルダの保持部はウェットティッシュ収納用容器を摺動自在に保持し、
第１係合部と第２係合部は、背板に設けられウェットティッシュ収納用容器の底蓋の周縁に係合するＬ字状部材からなり、
ウェットティッシュ収納用容器の対向する一対の側板は外方へＲ状に突出するとともに、各々対応するＬ字状部材に当接し、Ｌ字状部材の側板に当接する部分は、側板のＲ状突出形状に合わせてＲ状に内方へ引込むことを特徴とするウェットティッシュ収納用容器と取付ホルダの組合体。
【請求項２】
ウェットティッシュ収納用容器と、
ウェットティッシュ収納用容器を保持するとともに、このウェットティッシュ収納用容器を室内固定部に取付けるための取付ホルダと、を備え、
取付ホルダはウェットティッシュ収納用容器を取外自在に保持する保持部を有し、
取付ホルダの保持部はウェットティッシュ収納用容器の背面に当接する背板と、ウェットティッシュ収納用容器の一方の周縁と係合する第１係合部と、一方の周縁と反対側の他方の周縁と係合して、第１係合部との間でウェットティッシュ収納用容器を保持する第２係合部とを有し、
少なくとも一方の係合部は背板に対して揺動自在となっており、これにより、当該係合部をウェットティッシュ収納用容器の周縁に係合させあるいは係合を解除させ、
取付ホルダの保持部はウェットティッシュ収納用容器を摺動自在に保持し、
第１係合部と第２係合部は、背板に設けられウェットティッシュ収納用容器の底蓋の周縁に係合するＬ字状部材からなり、
取付ホルダは背板に連結された取付板を有し、この取付板は、保持部の背板に対してウェットティッシュ収納用容器の背面側に傾斜していることを特徴とするウェットティッシュ収納用容器と取付ホルダの組合体。
【請求項３】
ウェットティッシュ収納用容器と、
ウェットティッシュ収納用容器を保持するとともに、このウェットティッシュ収納用容器を室内固定部に取付けるための取付ホルダと、を備え、
取付ホルダはウェットティッシュ収納用容器を取外自在に保持する保持部を有し、
取付ホルダの保持部はウェットティッシュ収納用容器の背面に当接する背板と、ウェットティッシュ収納用容器の一方の周縁と係合する第１係合部と、一方の周縁と反対側の他方の周縁と係合して、第１係合部との間でウェットティッシュ収納用容器を保持する第２係合部とを有し、
少なくとも一方の係合部は背板に対して揺動自在となっており、これにより、当該係合部をウェットティッシュ収納用容器の周縁に係合させあるいは係合を解除させ、
揺動自在の第１係合部または第２係合部は、軟質樹脂からなっていることを特徴とするウェットティッシュ収納用容器と取付ホルダの組合体。
【請求項４】
ウェットティッシュ収納用容器と、
ウェットティッシュ収納用容器を保持するとともに、このウェットティッシュ収納用容器を室内固定部に取付けるための取付ホルダと、を備え、
取付ホルダはウェットティッシュ収納用容器を取外自在に保持する保持部を有し、
取付ホルダの保持部はウェットティッシュ収納用容器の背面に当接する背板と、ウェットティッシュ収納用容器の一方の周縁と係合する第１係合部と、一方の周縁と反対側の他方の周縁と係合して、第１係合部との間でウェットティッシュ収納用容器を保持する第２係合部とを有し、
少なくとも一方の係合部は背板に対して揺動自在となっており、これにより、当該係合部をウェットティッシュ収納用容器の周縁に係合させあるいは係合を解除させ、
揺動自在の第１係合部または第２係合部は、弾性体を介して背板に設けられていることを特徴とするウェットティッシュ収納用容器と取付ホルダの組合体。
【請求項５】
ウェットティッシュ収納用容器と、
ウェットティッシュ収納用容器を保持するとともに、このウェットティッシュ収納用容器を室内固定部に取付けるための取付ホルダと、を備え、
取付ホルダはウェットティッシュ収納用容器を取外自在に保持する保持部を有し、
取付ホルダの保持部はウェットティッシュ収納用容器の背面に当接する背板と、ウェットティッシュ収納用容器の一方の周縁と係合する第１係合部と、一方の周縁と反対側の他方の周縁と係合して、第１係合部との間でウェットティッシュ収納用容器を保持する第２係合部とを有し、
少なくとも一方の係合部は背板に対して揺動自在となっており、これにより、当該係合部をウェットティッシュ収納用容器の周縁に係合させあるいは係合を解除させ、
取付ホルダは背板に連結されるとともにトイレットペーパー収納体の差込口に差し込まれる取付板を有し、この取付板にトイレットペーパー収納体の差込口の下端に係止される係止部を設けたことを特徴とするウェットティッシュ収納用容器と取付ホルダの組合体。
【請求項６】
ウェットティッシュ収納用容器と、
ウェットティッシュ収納用容器を保持するとともに、このウェットティッシュ収納用容器を室内固定部に取付けるための取付ホルダと、を備え、
取付ホルダはウェットティッシュ収納用容器を取外自在に保持する保持部を有し、
取付ホルダの保持部はウェットティッシュ収納用容器の背面に当接する背板と、ウェットティッシュ収納用容器の一方の周縁と係合する第１係合部と、一方の周縁と反対側の他方の周縁と係合して、第１係合部との間でウェットティッシュ収納用容器を保持する第２係合部とを有し、
少なくとも一方の係合部は背板に対して揺動自在となっており、これにより、当該係合部をウェットティッシュ収納用容器の周縁に係合させあるいは係合を解除させ、
背板にトイレットペーパー収納体の差込口の周縁上端に当接するストッパリブを設けたことを特徴とするウェットティッシュ収納用容器と取付ホルダの組合体。
【発明の詳細な説明】
【０００１】
【発明の属する技術分野】
本発明は、ウェットティッシュ収納用容器、およびウェットティッシュ収納用容器と取付ホルダとの組合体に関する。
【０００２】
【従来の技術】
ウェットティッシュを内部に収納するウェットティッシュ収納用容器は、ウェットティッシュの取出口を有するとともに、この取出口は開閉蓋により開閉自在に密閉される。
【０００３】
すなわち、このような容器はウェットティッシュを収納するとともに取出口を有する容器本体と、取出口を密閉する開閉蓋とを備えている。
【０００４】
使用に際しては、容器本体の取出口に対して開閉蓋が開かれ、容器本体の取出口からウェットティッシュが一枚ずつ取出される。
【０００５】
【発明が解決しようとする課題】
上述のように、従来のウェットティッシュ収納用容器は容器本体と、この容器本体に対して揺動自在に取付けられた開閉蓋とを備えており、使用に際しては開閉蓋を揺動させ、容器本体の取出口からウェットティッシュを取出している。
【０００６】
ところで、近年ウェットティッシュとして水溶解性の材料で作製されたものが開発されている。このようなウェットティッシュはトイレにおいて使用され、使用後はトイレに流すことができる。このような場合、ウェットティッシュ用容器をトイレ内のトイレットペーパー収納体に取付けることができれば、都合が良い。
【０００７】
本発明はこのような点を考慮してなされたものであり、トイレ等に簡単に取付けることができるウェットティッシュ収納用容器、およびその組合体を提供することを目的とする。
【０００８】
【課題を解決するための手段】
本発明は、ウェットティッシュ収納用容器と、ウェットティッシュ収納用容器を保持するとともに、このウェットティッシュ収納用容器を室内固定部に取付けるための取付ホルダと、を備えたことを特徴とするウェットティッシュ収納用容器と取付ホルダとの組合体である。
【０００９】
本発明は、ウェットティッシュ収納用容器において、ウェットティッシュ収納用容器を室内固定部に固定する固定手段を有することを特徴とするウェットティッシュ収納用容器である。
【００１０】
本発明によれば、取付ホルダを例えばトイレ内の固定部に固定することにより、ウェットティッシュ収納用容器をトイレ内に簡単に取付けることができる。
【００１１】
また固定手段によりウェットティッシュ収納用容器を例えばトイレ内に簡単に取付けることができる。
【００１２】
【発明の実施の形態】
第１の実施の形態
以下、図面を参照して本発明の実施の形態について説明する。図１乃至図６は本発明の第１の実施の形態を示す図である。
【００１３】
まず図３によりウェットティッシュ収納用容器（開閉自在容器）１０について説明する。図３に示すように、開閉自在容器１０は、内部に内容物としてのウェットティッシュ４１（図４参照）を収納する下方開口型の容器本体１１と、容器本体１１の下方開口を密閉する底蓋１２とを備えている。また容器本体１１は取出口２４が形成された上板２７と、上板２７から下方へ延びる側板１３とを有し、容器本体１１の側板１３には上板２７の取出口２４を密閉する開閉蓋２３が揺動自在に取付けられている。
【００１４】
さらに側板１３の下方には底蓋１２に当接するフランジ１４が外方へ突出して形成されている。なお、底蓋１２には側板１３から外方へ突出するとともに指を引掛ける引掛片１２ｄを有している。また対向する一対の側板１３ａ、１３ｂは外方へＲ状に突出している。
【００１５】
また容器本体１１の上板２７はその略中央部の第１上板（第１薄板）２７ａと、第１上板２７ａの外側に段部２８を介して設けられ、第１上板２７ａより高い位置にある第２上板（第２薄板）２７ｂとからなっている。また第１上板２７ａには、ウェットティッシュ４１を取出すための取出口２４が設けられている。
【００１６】
一方、第１上板２７ａには係合リブ９４が設けられ、取出口２４は係合リブ９４の内側に配置されている。また開閉蓋２３の内面には、第１上板２７ａに設けられた係合リブ９４内に入り込む枠体３７が設けられている。そして、開閉蓋２３を回動し、係合リブ９４内に枠体３７を嵌込むことによって、開閉蓋２３が取出口２４を密閉するようになっている。なお、開閉蓋２３の内面には補強用リブ８１が設けられている。
【００１７】
さらに図３に示すように、開閉蓋２３の自由端には先端リブ３６が突設され、この先端リブ３６に係止片３２が設けられている。
【００１８】
また容器本体１１のうち開閉蓋２３の自由端側であって側板１３上端近傍に、上板２７から落込む落込段部５８が形成され、この落込段部５８内に垂直板５５ａが設けられている。垂直板５５ａの上端には水平方向外方へ延びる水平板５５ｂが取付けられている。また垂直板５５ａの内面に開閉蓋２３の係止片３２に係合する係合突起３３が設けられ、垂直板５５ａと水平板５５ｂとによって、開閉蓋２３を開とする作動体５５が構成されている。
【００１９】
また容器本体１１と開閉蓋２３との間に、開閉蓋２３を開方向に向って付勢する細長状の板ゴム５０が設けられている。すなわち、容器本体１１には、板ゴム５０の一端を差込み収納する収納部７５が設けられ、また開閉蓋２３には容器本体１１から所定間隔をおいて配置されるとともに板ゴム５０の他端を固着する固着部７６が設けられている。
【００２０】
なお、上述した容器本体１１および開閉蓋２３は、いずれもポリプロピレン（ＰＰ）を用いたインジェクション成形により得られるが、この他にＰＥ、ＰＳ、ＡＢＳ、エラストマー、ＰＥＴ、ＰＶＣ、ポリカーボネートを用いて成形してもよい。また底蓋１２は直鎖状低密度ポリエチレン（ＬＬＤＰＥ）が好ましく用いられ、さらに板ゴム５０としてはシリコンゴムが用いられる。又固着部７６はＰＰからなっている。
【００２１】
次に容器本体１１に設けられた作動体５５について説明する。図３に示すように作動体５５の水平板５５ｂの先端に、上方へ突出する指掛け突部８８が設けられている。この指掛け突部８８は、指を引掛けて水平板５５ｂを容易に降下させることができるようになっている。指掛け突部８８は中央部８８ａに向って上方へ傾斜しており、指の引掛けを容易に行なうことができるようになっている。
【００２２】
また図３に示すように、容器本体１１の上板２７には、開閉蓋２３の枠体３７が内面側に係合する係合リブ９４が設けられている。この係合リブ９４の上部には、枠体３７と係合リブ９４との間にウェットティッシュ４１が挟まれても開閉蓋２３を容易に開くことができるように面取り９４ａが施されている。この面取り９４ａは、係合リブ９４のうち、板ゴム５０近傍を除く全周に渡って設けられている。板ゴム５０近傍は板ゴム５０による開作動力が強く、特に面取り９４ａは必要ではなく、枠体３７と係合リブ９４との係合を気密に行なわせるようになっている。
【００２３】
次に容器本体１１の上板２７に設けられた取出口２４の構造を説明する。上板２７の第１上板２７ａに取出口２４側へ延びる一対の第１フラップ８２，８２と、各々が第１フラップ８２，８２に対向する一対の第２フラップ８３，８３とが設けられている。
【００２４】
一対の第１フラップ８２，８２および一対の第２フラップ８３，８３は、いずれも基端から先端に向って波形の断面形状を有している。このように波形の断面形状を有することにより、一対の第１フラップ８２，８２および一対の第２フラップ８３，８３は、各々フラップ８２，８２，８３，８３の長手方向に直交する方向に撓みの方向が定まることになり、フラップ８２，８２，８３，８３を安定して確実に撓ませることができる。
【００２５】
なお、一対の第１フラップ８２，８２および一対の第２フラップ８３，８３は、いずれも先端に向って末広状に延び、第１フラップ８２，８２間および第２フラップ８３，８３間の空間を先端に向って拡大させている。
【００２６】
次に図４により、容器本体１１内に収納されるウェットティッシュ４１について説明する。図４（ａ）に示すように、ウェットティッシュ４１は柔軟なシートからなる密閉袋４０内で折畳まれて積層配置され、この密閉袋４０によって密閉される。各ウェットティッシュ４１は折曲部４２を形成して略二つ折りされ、各ウェットティッシュ４１の折曲部４２は交互に入れ替わっている。またウェットティッシュ４１の二つ折りされた下半分４１ｂは、下方に配置するウェットティッシュ４１の上半分４１ａと更に下方に位置するウェットティッシュ４１の上半分４１ａとの間に挿入されている。このためウェットティッシュ４１を一枚ずつ摘んで取出した場合、取出したウェットティッシュ４１の下半分４１ｂが、下方に位置するウェットティッシュ４１の上半分４１ａを引張り上げるようになっている。なお、ウェットティッシュ４１の折り方は、連続的に取り出すことができるように積層配置されていればよく、特に限定されるものではなく、例えば図４（ｂ）のような折り方であってもよい。また密閉袋４０の上端に開口４０ａが設けられ、この開口４０ａは密閉袋４０上面に取外自在に貼付けられた蓋片４５により密閉されている。
【００２７】
ウェットティッシュ４１の素材としては、例えば、水溶解性のものが用いられるが、その他不織布、紙、ガーゼ等の繊維素材やシート状の発泡体、または紙ベースの軟質材料を用いてもよい。またウェットティッシュに含浸させる液体としては、殺菌剤、消毒剤、洗浄剤等を含んだ湿潤剤や化粧水や乳液等の化粧品が考えられる。
【００２８】
次に開閉自在容器１０を保持してトイレ内のトイレットペーパ収納体に取付ける取付ホルダ１について説明する。
【００２９】
図１乃至図６に示すように、取付ホルダ１は開閉自在容器１０の底蓋１２の背面に当接する背板２と、背板２に取付けられ底蓋１２の対向する一対の周縁１２ａ、１２ｂおよび容器本体１１のフランジ１４の対向する一対の周縁１４ａ，１４ｂを収納する一対のＬ字状部材３、４とを備えている。また背板２には、後述するトイレットペーパー収納体７の差込口７ａに差込まれる取付板５が連結されている
なお、上述の取付ホルダ１のうち、背板２と、一対のＬ字状部材３、４とによって開閉自在容器１０の底蓋１２および容器本体１１のフランジ１４を保持する保持部が構成される。
【００３０】
次に一対のＬ字状部材３、４について説明する。図２および図６に示すように、Ｌ字状部材３、４は各々断面Ｌ字状をなしている。このＬ字状部材３、４は底蓋１２の対向する周縁１２ａ、１２ｂおよび容器本体１１のフランジ１４の対向する周縁１４ａ，１４ｂを収納するものであり、底板１２の周縁１２ａ、１２ｂおよび容器本体１１のフランジ１４の周縁１４ａ，１４ｂは開閉自在容器１０の一対の側板１３ａ，１３ｂよりも外方へ突出している。
【００３１】
また一対の側板１３ａ、１３ｂは、外方へ突出するようにＲ状に湾曲し、このように湾曲した一対の側板１３ａ、１３ｂは対応するＬ字状部材３、４に当接している。
【００３２】
さらに各Ｌ字状部材３、４のうち一対の側板１３ａ、１３ｂに当接する当接部分３ａ、４ａは、各々側板１３ａ、１３ｂのＲ状に突出する形状に合わせてＲ状へ内方へ引込んだ形状を有している。このため取付ホルダ１のＬ字状部材３、４に沿って開閉自在容器１０を摺動させた後、一対の側板１３ａ、１３ｂをＬ字状部材３、４の当接部分３ａ、４ａに嵌合させることにより、開閉自在容器１０と取付ホルダ１との位置決めを容易に行なうことができる。
【００３３】
また図６に示すように、取付ホルダ１の取付板５は、背板２に対して底蓋１２の背面側（図６の右側）へ向かって傾斜して配置されている。この傾斜角度Ｋは５°〜２０°の範囲で設けることが好ましく、図６に示す実施の形態で傾斜角度Ｋが１５°に設けられている。
【００３４】
一般にトイレットペーパ収納体７は、トイレットペーパ７ｂを収納するとともにトレイ内壁８に固定されている。この場合、上述のように取付ホルダ１の取付板５を背板２に対して傾斜させることにより、取付板５をトイレットペーパ収納体７の差込口７ａ内に差込んだ場合、背板２を内壁８側へ傾斜させることができる（図６）。このため背板２およびＬ字状部材３、４からなる保持部に保持された開閉自在容器１０を内壁８側へ傾斜させて安定して配置することができる。
【００３５】
次にこのような構成からなる本実施の形態の作用について説明する。
【００３６】
まず開閉自在容器１０を取付ホルダにより保持する場合は、底蓋１２の一対の周縁１２ａ，１２ｂおよび容器本体１１のフランジ１４の一対の周縁１４ａ，１４ｂを取付ホルダ１のＬ字状部材３、４内に摺動させ、Ｌ字状部材３、４内に一対の周縁１２ａ，１２ｂ，１４ａ，１４ｂを収納することにより開閉自在容器１０を取付ホルダ１により保持することができる。このとき、一対の側板１３ａ，１３ｂをＬ字状部材３，４の当接部分３ａ，４ａに組合させることにより、開閉自在容器１０と取付ホルダ１との位置決めを容易に行なうことができる。
【００３７】
次に取付ホルダ１の取付板５を固定部、例えばトイレットペーパ収納体７の差込口７ａ内に差込むことにより、トイレットペーパ収納体７上に開閉自在容器１０を固定する。
【００３８】
ウェットティッシュ４１の使用時には、作動体５５の水平板５５ｂに設けられた指掛け突部８８を押圧することにより、係止片３２と係合突起３３との係合を解除することができる。この場合、板ゴム５０の復元力により、開閉蓋２３が開となる。
【００３９】
次に容器本体１１の取出口２４からウェットティッシュ４１を指で摘んで上方へ引張る。その後、連続して、ウェットティッシュ４１を引張ることにより、第１番目のウェットティッシュ４１を容器本体１１内から取出すことができる。この場合、第２番目のウェットティッシュ４１の上半分４１ａが、第１番目のウェットティッシュ４１の下半分４１ｂによって引張られる。そして、第２番目のウェットティッシュ４１の上半分４１ａが、取出口２４の中央部から第１のフラップ８２の先端縁と第２のフラップ８３の先端縁との間に進入し、これら第１フラップ８２と第２フラップ８３との間に挟持されて停止する。
【００４０】
以上のように本実施の形態によれば、開閉自在容器１０を、取付ホルダ１により保持し、この取付ホルダ１の取付板５をトイレットペーパー収納体７の差込口７ａ内に差込むことにより、開閉自在容器１０をトイレ内に簡単に取付けることができる。また指掛け突部８８を押圧するだけで容易に開閉蓋２３を開いて取出口２４からウェットティッシュ４１を引張り出すことができる。
【００４１】
以上のように本発明よれば、開閉自在容器をトイレの内のトイレットペーパー収納体に簡単に取付けることができる。また開閉を容易に開くことができ、内容物の取出しが容易となる。
【００４２】
第２の実施の形態
以下、図面を参照して本発明の第２の実施の形態について説明する。図７乃至図１０は本発明による開閉自在容器と取付ホルダの組合体を示す図である。
【００４３】
ウェットティッシュ収納用容器（開閉自在容器）１０を保持してトイレ内のトイレットペーパ収納体に取付ける取付ホルダ１について説明する。
【００４４】
図７、図８、図９および図１０に示すように、取付ホルダ１は開閉自在容器１０の底蓋１２の背面に当接する背板２と、背板２に取付けられ底蓋１２の一方の周縁１２ａおよび容器本体１１のフランジ１４の一方の周縁１４ａと係合する第１係合部１０３と、背板２に取付けられ底蓋１２の他方の周縁１２ｂおよびフランジ１４の他方の周縁１４ｂと係合する第２係合部１０４とを備えている。この第１係合部１０３と第２係合部１０４は、各々背板２の左右に一対設けられている。また背板２には、後述するトイレットペーパー収納体７の差込口７ａに差込まれる取付板５が連結されている。
【００４５】
なお、上述の取付ホルダ１のうち、背板２と、第１係合部１０３と、第２係合部１０４とによって開閉自在容器１０の底蓋１２および容器本体１１のフランジ１４を保持する保持部が構成される。
【００４６】
次に第１係合部１０３と第２係合部１０４について説明する。図１０に示すように第１係合部１０３と第２係合部１０４は各々断面Ｌ字状をなしている。この第１係合部１０３と第２係合部１０４は、底蓋１２の対向する周縁１２ａ，１２ｂおよび容器本体１１のフランジ１４の対向する周縁１４ａ，１４ｂと係合するものであり、底板１２の周縁１２ａ，１２ｂおよび容器本体１１のフランジ１４の周縁１４ａ，１４ｂは開閉自在容器１０の一対の側板１３ａ，１３ｂよりも外方へ突出している。
【００４７】
また一対の側板１３ａ，１３ｂは、外方へ突出するようにＲ状に湾曲し、このように湾曲した一対の側板１３ａ，１３ｂは各々対応する第１係合部１０３と、第２係合部１０４に当接している。このようにＲ状の一対の側板１３ａ，１３ｂを、第１係合部１０３および第２係合部１０４に当接させることにより、背板２に対して容器本体１１を確実に位置決めすることができる。
【００４８】
さらに第１係合部１０３および第２係合部１０４のうちの一方、例えば第２係合部１０４は背板２から開閉自在容器１０側へ折曲がり更に上方へ突出する突出片６０に取付けられている。このため突出片６０を背板２に対して揺動させることにより、第２係合部１０４も揺動し、第２係合部１０４と、周縁１２ｂおよび周縁１４ｂとの係合を解除することができる。
【００４９】
取付ホルダ１は全体として軟質樹脂からなり、このため突出片６０を揺動させることにより突出片６０が撓んで第２係合部１０４を容易に揺動させることができる。この場合、突出片６０は第２係合部１０４を保持する弾性体として機能するが、突出片６０を設けることなく、軟質樹脂からなる第２係合部１０４自体で第２係合部の揺動を行なうこともできる。
【００５０】
また図８および図１０に示すように、取付板５にはトイレットペーパ収納体７の差込口７ａの下端に係止する係止部５ａが設けられている。係止部５ａは取付板５の一部を外方へ折曲げることにより構成され、先端６１が山形状をなしている。この先端６１は差込口７ａの下端に係止して取付板５が容易に抜け出さないよう機能するとともに、取付板５をゆっくりと引抜いた場合に先端６１は取付板５側へ撓んで取付板５の引抜きを可能としている。
【００５１】
また背板２のうち、第１係合部１０３および第２係合部１０４と反対側の面に、両側縁に沿って一対のストッパリブ６，６が設けられている。このストッパリブ６，６はトイレットペーパ収納体７の差込口の周縁６２上端に当接して取付ホルダ１の落下を防止するとともに、背板２を補強する機能を有する。
【００５２】
また、ストッパリブ６，６は、第１係合部１０３の下方位置から第２係合部１０４の下方位置まで延び、このため第１係合部１０３を堅固に支持するが、第２係合部１０４の揺動を可能としている。
【００５３】
さらにストッパリブ６，６が差込口７ａの周縁６２上端に当接するので、取付ホルダ１の落下を防止することができ、これによりトイレットペーパ収納体７のトイレットペーパ７ｂのカバー７ｃと開閉自在容器１０との間のスペースを確保することができる。このため開閉自在容器１０と取付ホルダ１をトイレットペーパ収納体７から取外すことなく、カバー７ｃの開閉作業を行うことができる。
【００５４】
また図１０に示すように、取付ホルダ１の取付板５は、背板２に対して底蓋１２の背面側（図１０の右側）へ向かって傾斜して配置されている。この傾斜角度Ｋは５°〜２０°の範囲で設けることが好ましく、図１０に示す実施の形態は傾斜角度Ｋが１５°に設けられている。
【００５５】
図９に示すように、一般にトイレットペーパ収納体７は、トイレットペーパ７ｂを収納するとともにトレイ内壁８に固定されている。この場合、上述のように取付ホルダ１の取付板５を背板２に対して傾斜させることにより、取付板５をトイレットペーパ収納体７の差込口７ａ内に差込んだ場合、背板２を内壁８側へ傾斜させることができる（図１０）。このため背板２、第１係合部１０３、および第２係合部１０４からなる保持部に保持された開閉自在容器１０を内壁８側へ傾斜させて安定して配置することができる。
【００５６】
次にこのような構成からなる本実施の形態の作用について説明する。
【００５７】
まず開閉自在容器１０を取付ホルダ１により保持する場合は、底蓋１２の一対の周縁１２ａ，１２ｂおよび容器本体１１のフランジ１４の一対の周縁１４ａ，１４ｂを、第１係合部１０３と第２係合部１０４に係合させる。この場合、突出片６０と第２係合部１０４を揺動させることにより、底蓋１２の一対の周縁１２ａ，１２ｂとフランジ１４の一対の周縁１４ａ，１４ｂを、容易に第１係合部１０３と第２係合部１０４に係合させることができる。またＲ状に突出した一対の側板１３ａ，１３ｂを第１係合部１０３および第２係合部１０４に当接させることにより、開閉自在容器１０と取付ホルダ１との位置決めを容易に行なうことができる。
【００５８】
次に取付ホルダ１の取付板５をトイレットペーパ収納体７の差込口７ａ内に差込むことにより、トイレットペーパ収納体７上に開閉自在容器１０を固定する。
このとき、背板２のストッパリブ６，６が差込口７ａの周縁６２上端に当接し、取付ホルダ１の落下を防止するとともに、取付板５の係止部５ａが差込口７ａ内に配置される。
【００５９】
ウェットティッシュ４１の使用時には、作動体５５の水平板５５ｂに設けられた指掛け突部８８を押圧することにより、係止片３２と係合突起３３との係合を解除することができる。この場合、板ゴム５０の復元力により、開閉蓋２３が開となる。
【００６０】
次に容器本体１１の取出口２４からウェットティッシュ４１を指で摘んで上方へ引張る。その後、連続して、ウェットティッシュ４１を引張ることにより、第１番目のウェットティッシュ４１を容器本体１１内から取出すことができる。この場合、第２番目のウェットティッシュ４１の上半分４１ａが、第１番目のウェットティッシュ４１の下半分４１ｂによって引張られる。そして、第２番目のウェットティッシュ４１の上半分４１ａが、取出口２４の中央部から第１のフラップ８２の先端縁と第２のフラップ８３の先端縁との間に進入し、これら第１フラップ８２と第２フラップ８３との間に挟持されて停止する。
【００６１】
ウェットティッシュ４１を詰め替えるために開閉自在容器１０をトイレットペーパ収納体７から取り外す場合は、突出片６０を揺動させるだけで第２係合部１０４も揺動し、このことにより底蓋１２の周縁１２ｂおよびフランジ１４の周縁１４ｂと、第２係合部１０４との係合を解除することができる。このように取付ホルダ１をトイレットペーパ収納体７に残したまま、開閉自在容器１０のみを取付ホルダ１から取外すことができる。
【００６２】
以上のように本実施の形態によれば、開閉自在容器１０を、取付ホルダ１により保持し、この取付ホルダ１の取付板５をトイレットペーパー収納体７の差込口７ａ内に差込むことにより、開閉自在容器１０をトイレ内に簡単に取付けることができる。また指掛け突部８８を押圧するだけで容易に開閉蓋２３を開いて取出口２４からウェットティッシュ４１を引張り出すことができる。またウェットティッシュ４１を詰め替えるために開閉自在容器１０をトイレットペーパ収納体７から取外す場合は、第２係合部１０４を揺動させるだけで開閉自在容器１０のみを取外すことができる。
【００６３】
以上のように本発明によれば、開閉自在容器を取付ホルダによりトイレの内のトイレットペーパ収納体に簡単に取付けることができる。また開閉を容易に開くことができ、内容物の取出しが容易となる。さらに取付ホルダをトイレットペーパ収納体に残したまま、開閉自在容器のみを取付ホルダから容易に取外すことができる。
【００６４】
第３の実施の形態
次に図１１乃至図１５により本発明の第３の実施の形態について説明する。
【００６５】
図１１乃至図１５に示す実施の形態は、図１乃至図６に示す第１の実施の形態において、ウェットティッシュ収納用容器（開閉自在容器）１０および取付ホルダ１の変形例を示すものである。
【００６６】
すなわち、図１乃至図６に示す第１の実施の形態において、取付ホルダ１の取付板５をトイレットペーパー収納体７の差込口７ａに差し込む例を示したが、これに限らず、取付ホルダ１の取付板５をビス１０５によりトイレ内壁８に固定してもよい（図１１）。この場合は、トイレ内壁８が固定部となる。また取付ホルダ１の取付板５を両面テープ１０６によりトイレ内壁８に固定してもよい（図１２）。
【００６７】
さらに図１１において、取付ホルダ１の背板２をビス１０５によりトイレ内壁８に固定してもよく、また図１２において背板２を両面テープ１０６によりトイレ内壁８に固定してもよい。
【００６８】
また図１乃至図６に示す第１の実施の形態において、取付ホルダ１のＬ字状部材３、４により開閉自在容器１０を保持する例を示したが、これに限らず取付ホルダ１が開閉自在容器１０を載置する載置台１１０を有し、この載置台１１０により開閉自在容器１０を背板２に押し付けながら保持してもよい（図１３参照）。
【００６９】
また取付ホルダ１の背板２に引掛けフック１１１を設け、開閉自在容器１０を背板２に当接させるとともに引掛けフック１１１を開閉自在容器１０の背面に設けた引掛け穴（図示せず）に引掛けて保持してもよい（図１４）。
【００７０】
また図１乃至図６に示す第１の実施の形態において、ウェットティッシュ収納用容器（開閉自在容器）１０と取付ホルダ１との組合体について説明したが、開閉自在容器１０の背面にＬ字状の固定手段１１５を設け、トイレ内壁８にこのＬ字状固定手段１１５に係合するフック１１６を設け、固定手段１１５をフック１１６に係合させることにより開閉自在容器１０をトイレ内壁８に固定してもよい（図１５）。
【００７１】
また、図１６に示すように、ウェットティッシュ収納用容器（開閉自在容器）１０と別体に取付ホルダ１を設けることなく、ウェットティッシュ収納用容器１０の底蓋１２を容器本体１１から外方へ突出させて底蓋１２に延長部１２ａを形成してもよい。
【００７２】
この延長部１２ａは、底蓋１２の一部をなしており、延長部１２ａをトイレットペーパー収納体７の差込口７ａ内へ差込むことにより、開閉自在容器１０をトイレットペーパー収納体７に固定することができる。
【００７３】
また底蓋１２の延長部１２ａをビス１０５によってトレイ内型８に固定してもよく（図１１参照）、延長部１２ａを両面テープ１０６によりトレイ内型８に固定してもよい（図１２参照）。
【００７４】
なお、図１１乃至図１５において、図１乃至図６に示す第１の実施の形態の変形例について説明したが、図１１乃至図１５に示す変形例を図７乃至図１０に示す第２の実施の形態に適用してもよい。
【００７５】
また、開閉自在容器１０を固定する固定部として、トイレットペーパー収納体７の差込口７ａおよびトイレ内壁８の例を示したが、開閉自在容器１０を固定する固定部はこれらに限られることなく、例えばトイレ内の水タンク、あるいはトイレ以外の他の室内に固定部を設けてもよい。
【００７６】
またウェットティッシュ収納用容器として開閉自在容器について説明したが、これに限らず内部にウェットティッシュを収納するものであれば、紙製の箱状容器、プラスチック製の袋状容器を用いてもよい。
【００７７】
【発明の効果】
以上のように本発明によれば、ウェットティッシュ収納用容器を例えばトイレ等の室内に容器から容易かつ簡単に取付け固定することができる。
【図面の簡単な説明】
【図１】本発明の第１の実施の形態によるウェットティッシュ収納用容器と取付ホルダの組合体を示す斜視図。
【図２】取外されたウェットティッシュ収納用容器と取付ホルダを示す全体斜視図。
【図３】ウェットティッシュ収納用容器の全体斜視図。
【図４】ウェットティッシュを収納した密閉袋を示す側断面図。
【図５】トイレット収納体にウェットティッシュ収納用容器を取付けた状態を示す全体斜視図。
【図６】取付ホルダを示す断面図。
【図７】本発明の第２の実施の形態によるウェットティッシュ収納用容器と取付ホルダの組合体を示す斜視図。
【図８】取外されたウェットティッシュ収納用容器と取付ホルダを示す全体斜視図。
【図９】トイレット収納体にウェットティッシュ収納用容器を取付けた状態を示す全体斜視図。
【図１０】取付ホルダを示す断面図。
【図１１】本発明の第３の実施の形態による取付ホルダの変形例を示す図。
【図１２】取付ホルダの他の変形例を示す図。
【図１３】取付ホルダの他の変形例を示す図。
【図１４】取付ホルダの他の変形例を示す図。
【図１５】ウェットティッシュ収納用容器の変形例を示す図。
【図１６】ウェットティッシュ収納用容器の変形例を示す図。
【符号の説明】
１  取付ホルダ
２  背板
３、４  Ｌ字状部材
３ａ、４ａ  当接部分
５  取付板
６  ストッパリブ
７  トイレットペーパ収納体
７ａ  差込口
７ｃ  カバー
１０  開閉自在容器
１１  容器本体
１２  底蓋
１３  側板
２３  開閉蓋
２４  取出口
２７  上板
１０３  第１係合部
１０４  第２係合部
１０５  ビス
１０６  両面テープ
１１０  載置台
１１１  引掛けフック
【図１】
0004565692.tif 000002
【図２】
0004565692.tif 000003
【図３】
0004565692.tif 000004
【図４】
0004565692.tif 000005
【図５】
0004565692.tif 000006
【図６】
0004565692.tif 000007
【図７】
0004565692.tif 000008
【図８】
0004565692.tif 000009
【図９】
0004565692.tif 000010
【図１０】
0004565692.tif 000011
【図１１】
0004565692.tif 000012
【図１２】
0004565692.tif 000013
【図１３】
0004565692.tif 000014
【図１４】
0004565692.tif 000015
【図１５】
0004565692.tif 000016
【図１６】
0004565692.tif 000017